(57)【要約】【課題】  簡単な構造でキートップとケースとの接触音の発生を効果的に防止できる押圧型スイッチを提供する。【解決手段】  ケース１０とキートップ２０とスイッチ４０とを備えた押圧型スイッチにおいて、キートップ取付部３１と、キートップ取付部３１の外周から突出する弾発部３２と、弾発部３２の先端に取り付けられる基部３３とを有するフレキシブル基板７０を備え、フレキシブル基板７０のキートップ取付部３１にキートップ２０を取り付けると共に弾発部３２の部分を折り返して基部３３をキートップ２０の下面側の取付部材５０に取り付けることで、弾発部３２をその弾発力によってキートップ２０を上方向に向けて押し上げる状態に撓め、キートップ２０をケース１０の下面１１ａに弾接させてキートップ２０とケース１０との接触による接触音の発生を防ぐように構成した押圧型スイッチである。【選択図】図３
2007048617.tif 000002
【特許請求の範囲】
【請求項１】
スイッチと、前記スイッチ上に設置されこのスイッチを押圧するキートップとを備えた押圧型スイッチにおいて、
前記キートップを取り付けるキートップ取付部と、前記キートップ取付部の外周から突出して撓めることで弾発力を生じる弾発部と、さらに前記弾発部に取り付けられる基部とを有するフレキシブル基板を備え、
前記フレキシブル基板の前記キートップ取付部に前記キートップを取り付けると共に前記弾発部の部分を折り返して前記基部を前記キートップの下面側の押圧型スイッチの所定位置に取り付けることで、前記弾発部をその弾発力によって前記キートップを上方向に向けて押し上げる状態に撓めることを特徴とする押圧型スイッチ。
【請求項２】
請求項１に記載の押圧型スイッチにおいて、
前記フレキシブル基板の基部は、前記スイッチを構成するスイッチパターンを形成してなるスイッチパターン部であり、前記キートップ取付部と前記弾発部と前記スイッチパターン部とは一枚のフレキシブル基板に一体に設けられていることを特徴とする押圧型スイッチ。
【請求項３】
請求項１又は２に記載の押圧型スイッチにおいて、
前記弾発部によって上方向に押し上げられている状態のキートップの上部にケースを設置することでこのケースの下面に直接又は他の部材を介して前記キートップを弾接することを特徴とする押圧型スイッチ。
【発明の詳細な説明】
【技術分野】
【０００１】
本発明は、押圧型スイッチに関するものである。
【背景技術】
【０００２】
従来、押圧型スイッチとして、スイッチと、ケース内に上下動自在に収納されてこのスイッチ上に配置されたキートップとを備えた構成のものがある。この種の押圧型スイッチは、キートップを押圧して下降させることで、その下のスイッチを押圧してオンするようになっている。
【特許文献１】特開２００５−１２９４６７号公報
【発明の開示】
【発明が解決しようとする課題】
【０００３】
ところが、この押圧型スイッチでは、キートップが押圧されていない状態のときにキートップにガタつきがあると、押圧型スイッチを振動させた際にキートップのつば部の上面がケースの下面と接触して接触音が発生するという問題があった。そのため従来、キートップの下側にバネなどの弾発部材を設置しこの弾発部材でキートップを上方向に押し上げた状態にしてケースの下面に弾接させることで、キートップのガタつきをなくして接触音の発生を防止するものがあった。しかしながら、バネなどの弾発部材を設けるとその分押圧型スイッチの厚みが増して、押圧型スイッチの小型化が阻害されてしまう。また、押圧型スイッチの部品点数が増加してしまう。
【０００４】
また一方で、接触音の発生を防止するために、ケースの下面とキートップの上面との間にクッション材を設置し、このクッション材によってキートップ上面とケース下面との接触を防止して接触音の発生を防ぐ構造もあった。しかしながらこの構造でもクッション材の分だけ押圧型スイッチの厚みが増してしまい押圧型スイッチの小型化を図ることができず、また部品点数も増加してしまう。
【０００５】
本発明は上述の点に鑑みてなされたものでありその目的は、簡単な構造で押圧型スイッチの厚みを増加させず且つその部品点数を増加させずに、キートップによる接触音の発生を効果的に防止できる押圧型スイッチを提供することにある。
【課題を解決するための手段】
【０００６】
上記課題を解決するため本願の請求項１に記載の発明は、スイッチと、前記スイッチ上に設置されこのスイッチを押圧するキートップとを備えた押圧型スイッチにおいて、前記キートップを取り付けるキートップ取付部と、前記キートップ取付部の外周から突出して撓めることで弾発力を生じる弾発部と、さらに前記弾発部に取り付けられる基部とを有するフレキシブル基板を備え、前記フレキシブル基板の前記キートップ取付部に前記キートップを取り付けると共に前記弾発部の部分を折り返して前記基部を前記キートップの下面側の押圧型スイッチの所定位置に取り付けることで、前記弾発部をその弾発力によって前記キートップを上方向に向けて押し上げる状態に撓めることを特徴とする。
【０００７】
本願の請求項２に記載の発明は、請求項１に記載の押圧型スイッチにおいて、前記フレキシブル基板の基部は、前記スイッチを構成するスイッチパターンを形成してなるスイッチパターン部であり、前記キートップ取付部と前記弾発部と前記スイッチパターン部とは一枚のフレキシブル基板に一体に設けられていることを特徴とする。
【０００８】
本願の請求項３に記載の発明は、請求項１又は２に記載の押圧型スイッチにおいて、前記弾発部によって上方向に押し上げられている状態のキートップの上部にケースを設置することでこのケースの下面に直接又は他の部材を介して前記キートップを弾接することを特徴とする。
【発明の効果】
【０００９】
本願の請求項１に記載の発明によれば、フレキシブル基板の弾発部の部分を折り返して基部をキートップの下面側の押圧型スイッチの所定位置に取り付けることで、弾発部をその弾発力によってキートップを上方向に向けて押し上げる状態に撓めるので、フレキシブル基板の弾発部の弾発力によってキートップを上方向に向けて押し上げることができ、キートップをケースなどの他の部材に弾接させることで、押圧されていない状態のキートップのガタつきをなくして、押圧型スイッチを振動させた際の接触音の発生を防止できる。したがって、従来のようにバネなどの弾発部材やクッション材などを設置する場合と比較して、押圧型スイッチの厚みを増加させずに、キートップによる接触音の発生を防止することができる。
【００１０】
本願の請求項２に記載の発明によれば、フレキシブル基板の基部は、スイッチを構成するスイッチパターンを形成してなるスイッチパターン部なので、スイッチを設けたフレキシブル基板と同一のフレキシブル基板に設けた弾発部の弾発力によってキートップを上方向に向けて押し上げることができ、キートップをケースなどの他の部材に弾接させることで、キートップのガタつきをなくして接触音の発生を防止できる。したがって、押圧型スイッチの部品点数を増加させずに、押圧型スイッチを振動させた際のキートップによる接触音の発生を防止することができる。
【００１１】
本願の請求項３に記載の発明によれば、弾発部によって上方向に押し上げられている状態のキートップの上部にケースを設置することで、このケースの下面に直接又は他の部材を介してキートップを弾接するので、押圧型スイッチの厚みを増加させず、あるいは押圧型スイッチの部品点数を増加させずにキートップをケースに弾接させることでキートップのガタつきをなくして接触音の発生を効果的に防止できる。
【発明を実施するための最良の形態】
【００１２】
以下、本発明の実施形態を図面に基づいて詳細に説明する。
〔第１実施形態〕
本発明の第１実施形態を説明する。図１は、本発明の第１実施形態にかかる押圧型スイッチを上側から見た分解斜視図である。同図に示すようにこの押圧型スイッチは、ケース１０と、キートップ２０と、フレキシブル基板３０と、取付部材５０とを備えて構成されている。以下、この押圧型スイッチの各構成部品について説明する。
【００１３】
ケース１０は、金属板などで構成され、略長方形の平板状に形成された上壁１１と、上壁１１の四辺に連接し下方に略直角に折り曲げられた側壁１２ａ〜１２ｄとを備えた形状で、下面側に側壁１２ａ〜１２ｄで囲まれた凹状の収納部１３を有している。そして上壁１１には、略長方形状の開口部１４が設けられている。また、対向する両側壁１２ａ，１２ｂの下端には、下方に向かって突出した細片状の固定部１５が二個ずつ設けられている。
【００１４】
キートップ２０は、合成樹脂の成型品で、長方形の平板形状に形成された本体部２１を備え、本体部２１の上面に上方に突出する突起状の操作部２２を設け、本体部２１の下面には、その略中央に下方に向かって突出する突起状の押圧部２３を設けると共に、押圧部２３の両外側に下方に向かって突出する突起状の固定部２４を設けている。本体部２１の外周側面は、本体部２１がケース１０の収納部１３に上下動自在に収納されるように収納部１３の内周側面（側壁１２ａ〜１２ｄの内周面）よりも若干小さい大きさに形成されている。また、操作部２２はケース１０の開口部１４内に設置されるように、その側面が開口部１４の内周よりも若干小さい大きさに形成されている。
【００１５】
図２は、フレキシブル基板３０の展開図である。同図及び図１に示すようにフレキシブル基板３０は、可撓性を有する合成樹脂フイルム（ポリエチレンテレフタレートフイルム〔ＰＥＴフイルム〕等）で構成されており、キートップ２０を取り付けるキートップ取付部３１と、キートップ取付部３１の外周から突出する帯状の弾発部３２と、弾発部３２に取り付けられた基部３３とが一体に設けられた形状に形成されている。
【００１６】
キートップ取付部３１は、キートップ２０の本体部２１の下面と略同一の形状である長方形状に形成され、その中央部にキートップ２０の押圧部２３を挿通させる貫通穴からなる挿通部３４が設けられ、挿通部３４の両外側には、キートップ２０の固定部２４を取り付ける貫通穴からなる取付固定部３５が設けられている。また弾発部３２は、フレキシブル基板３０の一部が細帯状に形成された部分で、その一端がキートップ取付部３１の外周辺３１ａに接続されて、他端が基部３３の外周辺３３ａに接続されている。つまりこのフレキシブル基板３０は、弾発部３２の帯状方向（長さ方向）の両端部にそれぞれキートップ取付部３１と基部３３とが接続された形状になっている。基部３３は、ケース１０の下面（側壁１２ａ〜１２ｄの下端面）よりも若干大きな長方形状に形成され、その上面の中央には、導電ペーストを印刷形成することで形成された接点パターン３６と、接点パターン３６の外周にこれを囲むように導電ペーストを印刷形成した円弧状の接続パターン３７とを備えてなるスイッチパターン３８が形成されている。また、接点パターン３６と接続パターン３７からはそれぞれ配線パターン３６ａ，３７ａが引き出されていて、これらの配線パターン３６ａ，３７ａは、図示しない他の回路などに接続されている。そしてこのスイッチパターン３８の上に反転板３９が載置されている。この反転板３９は、弾性金属板をドーム形状に形成したもので、その下面外周が接続パターン３７上に当接し、その中心部が接点パターン３６の真上に位置するように載置されていて、反転時に接点パターン３６と接続パターン３７の間を導通すると共にクリック感覚を生じるように構成されている。なお配線パターン３６ａの上面には、反転板３９の下面外周との接触を防止する絶縁層が塗布されている。このスイッチパターン３８と反転板３９とによりスイッチ４０が構成されている。したがって、このフレキシブル基板３０の基部３３は、スイッチ４０を構成するスイッチパターン３８が形成されたスイッチパターン部になっている。このように本実施形態では基部３３はスイッチパターン部であるが、以下では説明の都合上、基部３３という。一方、この基部３３のスイッチパターン３８の外側であってケース１０の固定部１５に対応する４箇所には、それぞれ貫通穴からなる取付固定部４１が設けられている。
【００１７】
次に、取付部材（取付板）５０は、合成樹脂板や金属板等の硬質板からなる平板状の部材で、フレキシブル基板３０の基部３３の外形と略同一形状の長方形状に形成され、ケース１０の固定部１５に対応する位置にそれぞれ貫通穴からなる取付固定部５１が設けられている。
【００１８】
この押圧型スイッチの組み立て方法を説明する。まず、フレキシブル基板３０のキートップ取付部３１の裏面（フレキシブル基板３０のスイッチパターン３８を形成した面と反対側の面）を、キートップ２０の下面（本体部２１の下面）に取り付ける。その際、押圧部２３を挿通部３４に挿通させてこれをキートップ取付部３１の表面側に突出させる。また、固定部２４を取付固定部３５に挿通させて、キートップ取付部３１の表面側に突出したこの固定部２４の先端を熱カシメして固定する。次に、フレキシブル基板３０の弾発部３２を折り返して撓ませることで、基部３３を、キートップ２０を取り付けたキートップ取付部３１の下側に位置させて設置し、スイッチ４０をキートップ２０の押圧部２３の下側に対向させて配置する。この状態で、キートップ２０の上からケース１０を被せて取り付ける。その際、キートップ２０の本体部２１をケース１０の収納部１３内に収納すると共に、操作部２２を開口部１４内に挿入して開口部１４から上方に突出させた状態にする。さらにフレキシブル基板３０の基部３３をケース１０の側壁１２ａ〜１２ｄの下端面に取り付けて、さらにその下側に取付部材５０を取り付ける。その際、ケース１０の固定部１５を取付固定部４１と取付固定部５１とに挿通させて、取付部材５０の下面側に突出した固定部１５の先端をそれぞれ取付部材５０の内側に向かって折り曲げることで、フレキシブル基板３０の基部３３をケース１０と取付部材５０との間に挟持した状態で取付部材５０をケース１０に固定する。以上により、この押圧型スイッチの組み立てが完了する。
【００１９】
図３は、組み立てた押圧型スイッチの概略側断面図である。同図に示すようにこの押圧型スイッチは、キートップ２０を取り付けるキートップ取付部３１と、キートップ取付部３１の外周から突出し撓めることで弾発力を生じる弾発部３２と、弾発部３２の先端に取り付けられる基部３３とを有するフレキシブル基板３０を備えて構成されている。このフレキシブル基板３０の基部３３は、スイッチパターン３８を形成してなるスイッチパターン部である。そしてスイッチパターン３８とその上に載置された反転板３９とでスイッチ４０が構成され、このスイッチ４０を押圧する押圧部２３を有するキートップ２０がスイッチ４０の上に載置されてケース１０の収納部１３内に収納されている。さらにこのキートップ２０は、フレキシブル基板３０のキートップ取付部３１に取り付けられると共に、フレキシブル基板３０の弾発部３２が折り返されて基部３３がキートップ２０の下面側に位置する取付部材５０上に取り付けられることで、弾発部３２がその弾発力によってキートップ２０を上方向に向けて押し上げる状態に撓められていて、それによりキートップ２０の上部に設置したケース１０の上壁１１の下面１１ａにキートップ２０の本体部２１の上面（操作部２２の周囲の上面）２１ａが弾接されている。
【００２０】
このようにフレキシブル基板３０の弾発部３２を撓めることで、その弾発力によってキートップ取付部３１に取り付けたキートップ２０を上方向に押し上げてケース１０の下面１１ａに弾接させているので、キートップ２０が押圧されていないときのガタつきをなくすことができ、押圧型スイッチを振動等させたときのキートップ２０とケース１０との接触音の発生を防止できる。そのため、従来のようにバネなどの弾発部材や、クッション材などを設置して接触音の発生を防止する場合と比較して、押圧型スイッチの厚みを増加させずに接触音の発生を防ぐことが可能となる。またフレキシブル基板３０の基部３３は、スイッチ４０を設けているスイッチパターン部であり、同じフレキシブル基板３０に設けた弾発部３２の弾発力でキートップ２０を押し上げてケース１０に弾接させているので、押圧型スイッチの部品点数を増加させずにキートップ２０による接触音の発生を防止できる。
【００２１】
次に、図３と、図４の動作説明図とを用いて、この押圧型スイッチの動作を説明する。図３に示す状態からキートップ２０の操作部２２を押し下げると、フレキシブル基板３０の弾発部３２がさらに撓み量を大きくして撓むことでキートップ２０が下降し、押圧部２３が対向するスイッチ４０の反転板３９を押圧する。すると、図４に示すように反転板３９が反転してその中央部が接点パターン３６に接触することで、接点パターン３６と接続パターン３７とが導通してスイッチ４０がオンする。一方、キートップ２０の操作部２２を押し下げている力を解除すると、フレキシブル基板３０の弾発部３２の弾発力と反転板３９の復元力とによりキートップ２０が上方に持ち上げられて移動してスイッチ４０がオフし、図３に示すように弾発部３２が初期の撓みをもってその弾発力によりキートップ２０の上面２１ａをケース１０の下面１１ａに弾接させた状態で、キートップ２０が停止する。
【００２２】
〔第２実施形態〕
次に、本発明の第２実施形態を説明する。本実施形態にかかる図面及びその説明においては、第１実施形態と共通する構成部分には同一の符号を付す。なお以下で説明する事項以外の事項や、図示する部分以外の部分については、第１実施形態と同じである。以下の他の実施形態においても同様とする。図５は、本実施形態にかかる押圧型スイッチが備えるフレキシブル基板３０−２とスイッチ基板６０とを示す図である。本実施形態が第１実施形態と異なるのは、スイッチパターン３８が形成されていない基部３３−２を有するフレキシブル基板３０−２を備え、そのかわりにこのフレキシブル基板３０−２とは別部材であるスイッチ基板６０を設け、その上にスイッチパターン３８を形成している点である。
【００２３】
即ち、フレキシブル基板３０−２が備える基部３３−２は、第１実施形態の基部３３における弾発部３２が突出する外周辺３３ａと、その外周辺３３ａに近い二個の取付固定部４１の周囲の部分のみを残した形状に形成されると共に、スイッチパターン３８を省略した構成である。また、基部３３−２の弾発部３２が突出する外周辺３３ａに対向する辺には、反転板３９を露出させる略円弧形状に切り欠かれた切欠部３３ｂが設けられている。一方、スイッチ基板６０は硬質の基板で、その外形が基部３３−２と略同一形状の略長方形状に形成され、上面に接点パターン３６と接続パターン３７とからなるスイッチパターン３８が形成されている。そしてスイッチパターン３８の上に反転板３９が載置され、これらスイッチパターン３８と反転板３９とでスイッチ４０が構成されている。また、このスイッチ基板６０のスイッチパターン３８の外側であってケース１０の固定部１５に対応する４箇所には、それぞれ貫通穴からなる取付固定部６１が設けられている。そして本実施形態の押圧型スイッチは、図示は省略するが、第１実施形態の押圧型スイッチが備える取付部材５０を省略し、ケース１０の下面にフレキシブル基板３０−２の基部３３−２が設置され、さらにその下側に重ねてスイッチ基板６０が設置され、このスイッチ基板６０がケース１０の固定部１５によってケース１０に固定されている。ここで、基部３３−２はスイッチ基板６０上のスイッチ４０（反転板３９）に重ならない位置に載置されている。なお、スイッチ基板６０をフレキシブル基板とする場合は、第１実施形態と同様に取付部材５０によってスイッチ基板６０をケース１０の下面に取り付ければよい。
【００２４】
〔第３実施形態〕
次に、本発明の第３実施形態を説明する。図６は、本発明の第３実施形態にかかる押圧型スイッチが備えるフレキシブル基板３０−３を示す図である。このフレキシブル基板３０−３は、基部３３の外周辺３３ａのうちの互いに対向する両辺３３−１ａ，３３−２ａからそれぞれ弾発部３２−１，３２−２を突出させ、それぞれの弾発部３２−１、３２−２の先端にキートップ取付部３１−１，３２−２を設けた構成である。即ち、第１実施形態に示すフレキシブル基板３０のキートップ取付部３１と同形状のキートップ取付部３１−１，３１−２と、第１実施形態に示す弾発部３２と同形状の弾発部３２−１，３２−２とを、それぞれ基部３３の両側に接続して構成されている。このフレキシブル基板３０−３を備えた押圧型スイッチでは、図示は省略するが弾発部３２−１と弾発部３２−２をいずれも折り返して、各キートップ取付部３１−１，３１−２を、基部３３の上方でそのいずれか一方を上にした状態で重ね合わせて配置し、この重ね合わせた両キートップ取付部３１−１，３１−２の上にキートップ２０を取り付けている。即ち、重ね合わせた両キートップ取付部３１−１，３１−２の外周からそれぞれ突出する弾発部３２−１，３２−２の部分を折り返してキートップ２０の下面側の取付部材５０上に基部３３を取り付けており、両方の弾発部３２−１，３２−２をそれらの弾発力によってキートップ２０を上方向に向けて押し上げる状態に撓めてキートップ２０を上方に持ち上げているので、第１実施形態に比べてキートップ２０がより強い力で持ち上げられて、ケース１０の下面１１ａにより強く弾接されている。
【００２５】
〔第４実施形態〕
本発明の第４実施形態を説明する。図７は、本発明の第４実施形態にかかる押圧型スイッチの概略側断面図である。本実施形態の押圧型スイッチは、フレキシブル基板３０−４の基部３３−３が、一枚の基板を折り返して基板部４２の上に基板部４３を重ね合わせた構成のスイッチパターン部になっていて、この基部３３−３の上側の基板部４３の下面と下側の基板部４２の上面の互いに対向する位置に、それぞれ導電ペーストを印刷形成することで形成された接点パターン４４，４５が設けられている。さらにこの重ね合わせた両基板部４２，４３の上下面の接点パターン４４，４５の外側であって互いに対向する位置には、接点パターン４４，４５を囲むように接点パターン４４，４５の導電ペーストの膜厚より厚い絶縁塗料を印刷形成したスペーサ層４６，４７が設けられていて、このスペーサ層４６，４７によって対向する接点パターン４４，４５の間に所定の間隔が形成されている。さらに上側の基板部４３の上面には、押圧することで反転してクリック感覚を生じるクリック板４８が載置されて、これら基板部４２，４３とクリック板４８とでスイッチ４９が構成されている。そしてクリック板４８の上面の中央に対向してキートップ２０の押圧部２３が設置されている。なお、クリック板４８は反転する際にクリック感覚を生じるものであれば金属製でなくてもよく、例えば合成樹脂板などであってもよい。
【００２６】
この押圧型スイッチは、キートップ２０の操作部２２を押し下げると、フレキシブル基板３０−４の弾発部３２が撓んでキートップ２０が下降し、押圧部２３が対向するクリック板４８を押圧してこれを反転させる。これによりクリック感覚が生じると共に、基板部４３が上面側から押圧されることで接点パターン４４が接点パターン４５に当接してスイッチ４９がオンする。一方、キートップ２０の操作部２２を押し下げている力を解除すると、フレキシブル基板３０の弾発部３２の弾発力とクリック板４８の復元力とによりキートップ２０が上方に持ち上げられて移動し、スイッチ４９がオフする。
【００２７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば、弾発部３２は、折り返されて撓められることにより弾発力を生じる構成であれば、各実施形態のようにフレキシブル基板３０と同一の材質で構成されているもの以外にも、弾性を有する他の材料で構成されていてもよく、例えば弾性金属製の板材や、合成樹脂製の成型品などからなる板材で構成されていてもよい。また、弾発部３２をフレキシブル基板３０と同一の材質で構成する場合でも、その表面にさらに別のフレキシブル基板を貼り付けて、弾発部３２を２枚重ねや３枚重ねにすることでこれを補強して弾発力を高めることも可能である。あるいはフレキシブル基板３０と同材質で構成された弾発部３２の表面に、弾性金属製の板材や合成樹脂製の成型品からなる板材などを貼り付けてこれを補強する構成としてもよい。
【００２８】
また、上記各実施形態では、ケース１０の下面１１ａに直接キートップ２０を弾接している場合を示したが、これ以外にも、ケース１０の下面１１ａとキートップ２０との間に他の部材（例えば、ケース１０とキートップ２０との接触音を防止するためのクッション材等）が設置され、この部材にキートップ２０が弾接されていてもよい。
【００２９】
またフレキシブル基板３０の基部３３（３３−２，３３−３）は、第１実施形態などでは取付部材５０上に取り付けている場合を示し、第２実施形態では硬質のスイッチ基板６０上に取り付けている場合を示したが、基部３３（３３−２，３３−３）は、押圧型スイッチの所定位置に取り付ければ取付部材５０やスイッチ基板６０以外の部材に取り付けてもよく、例えば、ケース１０をキートップ２０の下面側まで突出する形状に形成し、その部分に基部３３（３３−２，３３−３）を取り付けてもよい。
【００３０】
また第１実施形態では、スイッチ４０を、基部３３の表面に接点パターン３６を設け、その外周に接続パターン３７を設けると共に、接続パターン３７にその下面外周が接触するようにドーム形状の弾性金属板からなる反転板３９を載置してなる構造のスイッチとし、第４実施形態では、スイッチ４９を、二枚の基板部４２，４３に設けた一対の接点パターン４４，４５を所定の間隔を介して対向させてなる構造のスイッチとしたが、これらはいずれも一例であり、本発明にかかる押圧型スイッチが備えるスイッチは、押圧されることでオンする構造のスイッチであればその構成はどのようなものであってもよい。例えば、一段スイッチ以外にも、上記のスイッチ４０の上にこれを押圧する押圧部材を設け、さらにその上に別のスイッチ４０を重ね合わせる構成の二段スイッチや、同様に二個のスイッチ４９を二段に重ね合わせる構成の二段スイッチ等としたり、あるいはスイッチ４０とスイッチ４９をそのいずれかを上にして二段に重ね合わせる構成の二段スイッチ等としてもよい。
【図面の簡単な説明】
【００３１】
【図１】本発明の第１実施形態にかかる押圧型スイッチの分解斜視図である。
【図２】フレキシブル基板３０の展開図である。
【図３】本発明の第１実施形態にかかる押圧型スイッチの概略側断面図である。
【図４】押圧型スイッチの動作を説明するための図である
【図５】本発明の第２実施形態にかかる押圧型スイッチが備えるフレキシブル基板３０−２とスイッチ基板６０とを示す図である。
【図６】本発明の第３実施形態にかかる押圧型スイッチが備えるフレキシブル基板３０−３を示す図である。
【図７】本発明の第４実施形態にかかる押圧型スイッチの概略側断面図である。
【符号の説明】
【００３２】
１０      ケース
１１      上壁
１１ａ    下面
１３      収納部
１４      開口部
２０      キートップ
２１      本体部
２１ａ    上面
２２      操作部
２３      押圧部
３０      フレキシブル基板
３１      キートップ取付部
３１ａ    外周辺
３２      弾発部
３３      基部（スイッチパターン部）
３３ａ    外周辺
３８      スイッチパターン
３９      反転板
４０      スイッチ
４２      基板部
４３      基板部
４４      接点パターン
４５      接点パターン
４８      クリック板
４９      スイッチ
５０      取付部材
６０      スイッチ基板
【図１】
2007048617.tif 000003
【図２】
2007048617.tif 000004
【図３】
2007048617.tif 000005
【図４】
2007048617.tif 000006
【図５】
2007048617.tif 000007
【図６】
2007048617.tif 000008
【図７】
2007048617.tif 000009